(57)【要約】
【課題】強度、耐久性に優れ、優れた美粧効果を発揮でき、構成簡素で、組立容易で、印刷が簡単に行え、量産に適し、製造コストを低減でき、本体の左右側壁部の後端縁部分が損傷し難く、折込片がスムーズに二つ折りして、蓋体の左右側壁部が本体の左右側壁部に接近した状態を維持でき、外観上の体裁も良いギフト用美粧箱を提供する。
【解決手段】本体Ａと、施蓋時に本体Ａの前壁部、左右側壁部を外がわから覆う蓋体Ｂとからなり、本体Ａは、底壁部と、前壁部と、左右側壁部と、揺動自在な後壁部とを備え、蓋体Ｂは、天壁部と、前壁部と、左右側壁部とを備え、本体Ａの左右側壁部の後端縁に当接片１１を連設し、本体Ａの後壁部の左右側端縁に連設する折込後片１４と、蓋体Ｂの左右側壁部の後端縁に連設する折込前片１３とで折込片１２を形成し、蓋体Ｂを揺動せしめたときに、当接片１１の表面を折込前片１３の下端縁が摺接するよう構成する。
【選択図】図１
0003100505.tif 000002
【実用新案登録請求の範囲】
【請求項１】
　一枚の段ボール材から折曲げ形成されるギフト用美粧箱であって、上部が開放された略矩形箱状の本体と、この本体の後壁部に折目線を介して揺動自在に連設され、本体の上部開放部分を施蓋すると共に、本体の前壁部及び左右側壁部を外がわから覆うように形成される蓋体とからなり、前記本体は、底壁部と、前壁部と、左右側壁部と、上下方向に揺動自在となるよう折目線を介して底壁部に連設される後壁部とを備え、前記蓋体は、天壁部と、前壁部と、左右側壁部とを備え、本体の左右側壁部の後端縁に折目線を介して当接片を連設し、本体の後壁部の左右側端縁に折目線を介して連設される折込後片と、蓋体の左右側壁部の後端縁に折目線を介して連設される折込前片とで折込片を形成し、本体に対して蓋体を揺動せしめたときに、本体の左右側壁部に対して直交する前記当接片の表面を、前記折込片の折込前片の下端縁が摺接するように構成したことを特徴とするギフト用美粧箱。
【請求項２】
　一枚の段ボール材から折曲げ形成されるギフト用美粧箱であって、上部が開放された略矩形箱状の本体と、この本体の後壁部に折目線を介して揺動自在に連設され、本体の上部開放部分を施蓋すると共に、本体の前壁部及び左右側壁部を外がわから覆うように形成される蓋体とからなり、前記本体は、略矩形状の底板と、底板の後端縁に折目線を介して連設される略細長矩形状の後板と、底板の左右側端縁に折目線を介して夫々連設される略細長矩形状の左右側板と、底板の前端縁に折目線を介して連設される略細長矩形状の前外板と、この前外板の上端縁に折目線等を介して連設される略細長矩形状の前内板とを備え、前記蓋体は、略矩形状の天板と、天板の左右側端縁に折目線を介して夫々連設される略細長矩形状の蓋右側板及び蓋左側板と、天板の前端縁に折目線を介して連設される略細長矩形状の蓋前板と、この蓋前板の下端縁に折目線等を介して連設される差込片とを備え、本体の左右側板の後端縁に折目線を介して当接片を夫々連設し、本体の後板の左右側端縁に折目線を介して連設される折込後片と、蓋体の蓋右側板及び蓋左側板の後端縁に折目線を介して連設される折込前片とで折込片を形成し、本体に対して蓋体を揺動せしめたときに、本体の左右側板に対して直交する前記当接片の表面を、前記折込片の折込前片の下端縁が摺接するように構成したことを特徴とするギフト用美粧箱。
【考案の詳細な説明】
【技術分野】
【０００１】
　本考案は、主に、一枚の段ボール材から糊付けすることなく簡単に折曲げ形成できて、その組立て作業能率が良く、耐久性に優れ、外観上の体裁が優れたギフト用美粧箱に関するものである。
【背景技術】
【０００２】
　従来、この種のギフト用美粧箱としては種々のものが提案されており、例えば、特許文献１に示すような包装用箱がある。
　そして、この包装用箱は、底壁から立設する第１側壁、それと対向する第２側壁、第１及び第２側壁に対して直角方向で両側壁を連結する第３側壁及び第４側壁を有し、更に、第１側壁の上縁と一体的に連結し、この上縁を折り曲げ縁とする上蓋によって略直方体状の箱体を構成し、この箱体の前方壁面（第２側壁）に、上蓋挿入舌片の端縁位置を下端折り曲げ部とする支持舌片を設けたものである。
【０００３】
【特許文献１】実開平５−９５８２０号公報（図１参照）
【考案の開示】
【考案が解決しようとする課題】
【０００４】
　ところが、前述のような包装用箱にあっては、その組立に糊付け手段が必要となる難点や、外観上の体裁が優れたものとはいい難く、しかも、特別に耐久性が優れたものとなるような工夫を備えたものでもない等の難点があった。
【課題を解決するための手段】
【０００５】
　そこで、本考案は、前述の如き難点等を解消できるようにするのは勿論のこと、構成が簡素で、原材料の無駄が少なく、省資源に役立ち、組立てが容易で、その印刷が簡単に行え、量産に適し、製造コストを低減でき、特にギフト用の箱として外観上の体裁が良く、耐久性の優れたギフト用美粧箱を提供すべく案出されたものである。
【０００６】
　しかして、請求項１記載のギフト用美粧箱にあっては、一枚の段ボール材から折曲げ形成されるギフト用美粧箱であって、上部が開放された略矩形箱状の本体Ａと、この本体Ａの後壁部に折目線を介して揺動自在に連設され、本体Ａの上部開放部分を施蓋すると共に、本体Ａの前壁部及び左右側壁部を外がわから覆うように形成される蓋体Ｂとからなり、前記本体Ａは、底壁部と、前壁部と、左右側壁部と、上下方向に揺動自在となるよう折目線を介して底壁部に連設される後壁部とを備え、前記蓋体Ｂは、天壁部と、前壁部と、左右側壁部とを備え、本体Ａの左右側壁部の後端縁に折目線を介して当接片１１を連設し、本体Ａの後壁部の左右側端縁に折目線を介して連設される折込後片１４と、蓋体Ｂの左右側壁部の後端縁に折目線を介して連設される折込前片１３とで折込片１２を形成し、本体Ａに対して蓋体Ｂを揺動せしめたときに、本体Ａの左右側壁部に対して直交する前記当接片１１の表面を、前記折込片１２の折込前片１３の下端縁が摺接するように構成する手段を採用した。
【０００７】
　また、請求項２記載のギフト用美粧箱にあっては、一枚の段ボール材から折曲げ形成されるギフト用美粧箱であって、上部が開放された略矩形箱状の本体Ａと、この本体Ａの後壁部に折目線を介して揺動自在に連設され、本体Ａの上部開放部分を施蓋すると共に、本体Ａの前壁部及び左右側壁部を外がわから覆うように形成される蓋体Ｂとからなり、前記本体Ａは、略矩形状の底板１と、底板１の後端縁に折目線を介して連設される略細長矩形状の後板２と、底板１の左右側端縁に折目線を介して夫々連設される略細長矩形状の左右側板３、４と、底板１の前端縁に折目線を介して連設される略細長矩形状の前外板５と、この前外板５の上端縁に折目線等を介して連設される略細長矩形状の前内板６とを備え、前記蓋体Ｂは、略矩形状の天板７と、天板７の左右側端縁に折目線を介して夫々連設される略細長矩形状の蓋右側板８及び蓋左側板９と、天板７の前端縁に折目線を介して連設される略細長矩形状の蓋前板１０と、この蓋前板１０の下端縁に折目線等を介して連設される差込片２２とを備え、本体Ａの左右側板３、４の後端縁に折目線を介して当接片１１を夫々連設し、本体Ａの後板２の左右側端縁に折目線を介して連設される折込後片１４と、蓋体Ｂの蓋右側板８及び蓋左側板９の後端縁に折目線を介して連設される折込前片１３とで折込片１２を形成し、本体Ａに対して蓋体Ｂを揺動せしめたときに、本体Ａの左右側板３、４に対して直交する前記当接片１１の表面を、前記折込片１２の折込前片１３の下端縁が摺接するように構成する手段を採用した。
【考案の効果】
【０００８】
　従って、本考案の請求項１記載のギフト用美粧箱は、一枚の段ボール材から折曲げ形成でき、その組立に糊付け手段が不要で、強度、耐久性に優れ、ギフト用の箱として最適なものとなる。更に、蓋体Ｂが本体Ａの上部開放部分を施蓋すると共に、本体Ａの前壁部及び左右側壁部を外がわから覆うようになり、外観上の体裁が良い、優れた美粧効果を発揮できるものとなる。
　しかも、構成が簡素で、組立てが容易で、印刷が簡単に行え、量産に適し、製造コストを低減できるギフト用美粧箱となる。
【０００９】
　特に、本体Ａの左右側壁部の後端縁に折目線を介して当接片１１を連設し、本体Ａの後壁部の左右側端縁に折目線を介して連設される折込後片１４と、蓋体Ｂの左右側壁部の後端縁に折目線を介して連設される折込前片１３とで折込片１２を形成し、本体Ａに対して蓋体Ｂを揺動せしめたときに、本体Ａの左右側壁部に対して直交する前記当接片１１の表面を、前記折込片１２の折込前片１３の下端縁が摺接するように構成したので、本体Ａを蓋体Ｂで施蓋する際、或いは、その施蓋状態を解除する際に、当接片１１の表面を、折込片１２の折込前片１３の下端縁が幅広に摺接するようになり、本体Ａの左右側壁部の後端縁部分が損傷し難いものとなる。しかも、本体Ａを蓋体Ｂで施蓋したときに、折込片１２がスムーズに二つ折りされて、蓋体Ｂの左右側壁部が本体Ａの左右側壁部に接近した状態を維持できるようになり、外観上の体裁も良くなる。
【００１０】
　また、本考案の請求項２記載のギフト用美粧箱によれば、一枚の段ボール材から折曲げ形成でき、その組立に糊付け手段が不要で、強度、耐久性に優れ、ギフト用の箱として最適なものとなる。更に、蓋体Ｂが本体Ａの上部開放部分を施蓋すると共に、本体Ａの前壁部及び左右側壁部を外がわから覆うようになり、外観上の体裁が良い、優れた美粧効果を発揮できるものとなる。
　しかも、構成が簡素で、原材料の無駄が少なく、省資源に役立ち、組立てが容易で、その表面への印刷が簡単に行え、量産に適し、製造コストを低減できるギフト用美粧箱となる。
【００１１】
　特に、本体Ａの左右側板３、４の後端縁に折目線を介して当接片１１を夫々連設し、本体Ａの後板２の左右側端縁に折目線を介して連設される折込後片１４と、蓋体Ｂの蓋右側板８及び蓋左側板９の後端縁に折目線を介して連設される折込前片１３とで折込片１２を形成し、本体Ａに対して蓋体Ｂを揺動せしめたときに、本体Ａの左右側板３、４に対して直交する前記当接片１１の表面を、前記折込片１２の折込前片１３の下端縁が摺接するように構成したので、本体Ａを蓋体Ｂで施蓋する際、或いは、その施蓋状態を解除する際に、当接片１１の表面を、折込片１２の折込前片１３の下端縁が幅広に摺接するようになり、本体Ａの左右側板３、４の後端縁部分が損傷し難いものとなる。しかも、本体Ａを蓋体Ｂで施蓋したときに、折込片１２がスムーズに二つ折りされて、蓋体Ｂの蓋右側板８及び蓋左側板９が本体Ａの左右側板３、４に接近した状態を維持できるようになり、外観上の体裁も良くなる。
【考案を実施するための最良の形態】
【００１２】
　以下、本考案を図示例に基づいて説明すると、次の通りである。
　本考案は、一枚の段ボール材（或いは、比較的厚みのあるコート紙等でも良い。）から構成されると共に、これを糊付けすることなく折曲げ形成するだけで、その組立てが簡単に且つ能率良く行えるように構成されたものであって、しかも、比較的重い商品の収納や、部分的圧力等にも耐えられるような耐久性を備え、また、比較的高級なギフト商品の収納にも適するようにその外観上の体裁が優れたものとなるよう開発されたギフト用美粧箱である。
【００１３】
　そして、このギフト用美粧箱は、上部が開放された略矩形箱状の本体Ａと、この本体Ａの後壁部に折目線を介して上下方向に揺動自在に連設される蓋体Ｂとからなっている。
【００１４】
　更に、蓋体Ｂは、本体Ａの上部開放部分を施蓋できるように形成されると共に、本体Ａの前壁部及び左右側壁部を外がわから覆えるように形成されている。すなわち、段ボール材の切断端面等が蓋体Ｂによってなるべく目立つところに現出しないように構成されており、外観上の体裁が損なわれないようにしてある。
【００１５】
　しかも、前記本体Ａは、底壁部と、前壁部と、左右側壁部と、上下方向に揺動自在となるよう折目線を介して底壁部に連設される後壁部とを備え、前記蓋体Ｂは、天壁部と、前壁部と、左右側壁部とを備えた構成となっている。
【００１６】
　それから、本体Ａの左右側壁部の後端縁に折目線を介して当接片１１を連設し、本体Ａの後壁部の左右側端縁に折目線を介して連設される折込後片１４と、蓋体Ｂの左右側壁部の後端縁に折目線を介して連設される折込前片１３とで折込片１２を形成し、本体Ａに対して蓋体Ｂを揺動せしめたときに、本体Ａの左右側壁部に対して直交する前記当接片１１の表面を、前記折込片１２の折込前片１３の下端縁が摺接するように構成されている。
【実施例１】
【００１７】
　図１乃至図３に示すギフト用美粧箱は、一枚の段ボール材から折曲げ形成されるギフト用美粧箱を例示したもので、このギフト用美粧箱は、上部が開放された略矩形箱状の本体Ａと、この本体Ａの後壁部に折目線を介して揺動自在に連設され、本体Ａの上部開放部分を施蓋すると共に、本体Ａの前壁部及び左右側壁部を外がわから覆うように形成される蓋体Ｂとからなる。
【００１８】
　そして、前記本体Ａは、略矩形状の底板１と、この底板１の後端縁に折目線を介して上下方向に揺動自在となるよう連設される略細長矩形状の後板２と、底板１の左右側端縁に折目線を介して夫々連設される略細長矩形状の左右側板３、４と、底板１の前端縁に折目線を介して連設される略細長矩形状の前外板５と、この前外板５の上端縁に折目線（或いは、二つの折目線で挟まれた細長矩形片）等を介して連設される略細長矩形状の前内板６とを備えている。
【００１９】
　更に、前記蓋体Ｂは、略矩形状の天板７と、この天板７の左右側端縁に折目線を介して夫々連設される略細長矩形状の蓋右側板８及び蓋左側板９と、天板７の前端縁に折目線を介して連設される略細長矩形状の蓋前板１０と、この蓋前板１０の下端縁に折目線を介して連設される差込片２２とを備えている。
【００２０】
　それから、本体Ａの左右側板３、４の後端縁に折目線を介して略細長台形状の当接片１１を夫々連設する。加えて、本体Ａの後板２の左右側端縁に折目線を介して連設される略三角形状の折込後片１４と、蓋体Ｂの蓋右側板８及び蓋左側板９の後端縁に折目線を介して連設される略三角形状の折込前片１３とで略台形状の折込片１２を形成し、本体Ａに対して蓋体Ｂを揺動せしめたときに、本体Ａの左右側板３、４に対して直交する前記当接片１１の表面を、前記折込片１２の折込前片１３の下端縁が摺接するように構成されている。
【００２１】
　尚、図中１５は、折込片１２を折込前片１３と折込後片１４とに分ける折目線部分に配される略山形状の切込線で、この切込線１５は、折込片１２が無理なく二つ折り状態（折込前片１３と折込後片１４が重なる状態）となるように設けられたものである。
【００２２】
　図中１６は、本体Ａの前外板５の左右側端縁に折目線を介して連設される略三角形状の折込前片１７と、本体Ａの左右側板３、４の前端縁に折目線を介して連設される略三角形状の折込後片１８とで略台形状に形成される折込片で、この折込片１６は、底板１に対して前外板５を直角に折曲げたときに、二つ折するとともに共に、前外板５内表面に密接するように構成されたものである。
【００２３】
　図中１９は、折込片１６を折込前片１７と折込後片１８とに分ける折目線部分に配される略山形状の切込線で、この切込線１９は、折込片１６が無理なく二つ折り状態（折込前片１７と折込後片１８が重なる状態）となるように設けられたものである。
【００２４】
　図中２０は、本体Ａの前内板６の下端縁左右に突設される差込部で、この差込部２０は、底板１の前端左右部分に穿設した差込孔２１に差込めるように構成されている。すなわち、差込部２０を差込孔２１に差込むことで、前内板６が前外板５の内表面がわに配された状態、及び二つ折された折込片１６を前外板５と前内板６とで挟持している状態を確実に維持できるように構成されたものである。
【００２５】
　図中２３は、本体Ａの底板１の前端中央部分に穿設した差込孔で、この差込孔２３には、蓋体Ｂの差込片２２が差込み自在となるように構成されている。また、図中２４は、差込孔２３に連続するように底板１に切設した切込線で、この切込線２４は、差込片２２が差込孔２３に差込まれている時に差込片２２の一部を覆い、差込片２２を差込孔２３から抜く際に、切込線２４で囲まれた部分の下に指先を潜り込ませ易くなるように構成されたものである。
【００２６】
　尚、本考案のギフト用美粧箱は、その展開状態に於いて図２に示すように全体がコンパクトに纏まった略矩形状となっており、一枚の段ボール材に於ける無駄な部分（不使用部分）が極力抑えられるように構成されている。しかも、その表面（或いは、裏面）への印刷（例えば、オフセット印刷、或いは、その他の印刷手段）も無駄が少なく、且つ能率的に行えるよう構成されている。
【００２７】
　ところで、ギフト用美粧箱の具体的構成、形状、寸法、材質、本体Ａの具体的構成、形状、寸法、材質、蓋体Ｂの具体的構成、形状、寸法、材質、本体Ａの底壁部、前壁部、左右側壁部、後壁部の具体的構成、形状、寸法、材質、蓋体Ｂの天壁部、前壁部、左右側壁部の具体的構成、形状、寸法、材質、底板１の具体的構成、形状、寸法、材質、後板２の具体的構成、形状、寸法、材質、右側板３の具体的構成、形状、寸法、材質、左側板４の具体的構成、形状、寸法、材質、前外板５の具体的構成、形状、寸法、材質、前内板６の具体的構成、形状、寸法、材質、天板７の具体的構成、形状、寸法、材質、蓋右側板８の具体的構成、形状、寸法、材質、蓋左側板９の具体的構成、形状、寸法、材質、蓋前板１０の具体的構成、形状、寸法、材質、当接片１１の具体的構成、形状、寸法、材質、折込片１２の具体的構成、形状、寸法、材質、折込前片１３の具体的構成、形状、寸法、材質、折込後片１４の具体的構成、形状、寸法、材質、切込線１５の具体的構成、形状、寸法、配設位置、折込片１６の具体的構成、形状、寸法、材質、折込前片１７の具体的構成、形状、寸法、材質、折込後片１８の具体的構成、形状、寸法、材質、切込線１９の具体的構成、形状、寸法、配設位置、差込部２０の具体的構成、形状、寸法、配設位置、数、差込孔２１の具体的構成、形状、寸法、配設位置、数、差込片２２の具体的構成、形状、寸法、材質、配設位置、数、差込孔２３の具体的構成、形状、寸法、配設位置、数、切込線２４の具体的構成、形状、寸法、配設位置、数等は図示例のもの等に限定されることなく適宜自由に設定、変更できるものである。
【図面の簡単な説明】
【００２８】
【図１】本考案のギフト用美粧箱を例示する斜視図である。
【図２】本考案のギフト用美粧箱を例示する展開図である。
【図３】本考案のギフト用美粧箱を例示する部分平断面図である。
【符号の説明】
【００２９】
　Ａ　　　本体　　　　　　　　　　　　　Ｂ　　　蓋体
　１　　　底板　　　　　　　　　　　　　２　　　後板
　３　　　右側板　　　　　　　　　　　　４　　　左側板
　５　　　前外板　　　　　　　　　　　　６　　　前内板
　７　　　天板　　　　　　　　　　　　　８　　　蓋右側板
　９　　　蓋左側板　　　　　　　　　　　１０　　蓋前板
　１１　　当接片　　　　　　　　　　　　１２　　折込片
　１３　　折込前片　　　　　　　　　　　１４　　折込後片
　１５　　切込線　　　　　　　　　　　　１６　　折込片
　１７　　折込前片　　　　　　　　　　　１８　　折込後片
　１９　　切込線　　　　　　　　　　　　２０　　差込部
　２１　　差込孔　　　　　　　　　　　　２２　　差込片
　２３　　差込孔　　　　　　　　　　　　２４　　切込線
【図１】
0003100505.tif 000003
【図２】
0003100505.tif 000004
【図３】
0003100505.tif 000005